(57)【要約】【課題】  内外２つの環状部分からなり、その内側部分が外側部分に関して回転することなく、しかも完全には分離することなく軸方向に変位できる座金の提供。【解決手段】  ナットと接する第１支承面と、物体と接する第２支承面と、ボルトと接する回転抵抗面を備えた座金において、その座金を半径方向内側に位置する内側部分と、半径方向外側に位置する外側部分と、内外２つの部分を軸方向に可撓性ある接合素子で連結させて一体構造とする。【選択図】図１
2006258292.tif 000002
【特許請求の範囲】
【請求項１】
一体化させる少なくとも２つの部分を含む物体に挿通された軸を持つボルトに螺合するナットと、前記の物体との間に挟まれる座金において、その座金は一方の面にナットに接する第１支承面を、他方の面に物体と接する第２支承面を有すると共に、半径方向内側にボルトと噛み合う回転抵抗面を有し、しかも前記座金は前記回転抵抗面を有して半径方向内側に位置する内側部分と、半径方向外側に位置する外側部分とを備えたワンピースの胴部からなり、緊締の過程で前記ナットを既定の力で一方向に回転させ、同時にその反力を座金胴部に受けさせた時に、ボルトと座金胴部は回転せずにナットだけが回転してボルトを伸張させ、ボルトの伸張により前記の内側部分は回転することなく外側部分に対して軸方向に変位するが、外側部分から分離することなく一体構造を維持する座金。
【請求項２】
ナットを緊締する過程で前記内側部分は回転せずに外側部分に対して軸方向に変位しても、外側部分から分離しないように、内側部分と外側部分とが互いに連結されている請求項１記載の座金。
【請求項３】
前記内側部分が外側部分に関して軸方向に変位した時に、ボルトと内側部分との密着性が増大するように、内側部分と外側部分とが形成されている請求項１記載の座金。
【請求項４】
前記ワンピースの一体構造胴部が、前記内側部分と外側部分とを接続させて一体構造とする接合手段を備え、内側部分が外側部分に関して軸方向に変位した時に、前記接合手段がボルトと内側部分との密着性を増大させる請求項３記載の座金。
【請求項５】
座金胴部の内側部分が複数の個別の部分からなり、各部分は互いに間隙を挟んで座金胴部の軸を中心に円周方向に離間している請求項１記載の座金。
【請求項６】
一体化させる少なくとも２つの部分を含む物体に挿通することが可能なボルトと、そのボルトに螺合するナットと、物体とナットとの間に挟まれる座金とで構成される締め具であって、前記の座金が一方の面にナットと接する第１支承面を、他方の面に物体と接する第２支承面を備えると共に、半径方向内側にボルトと噛み合う回転抵抗面を備え、かつ、その座金が、前記の回転抵抗面を持って半径方向内側に位置して内側部分と、半径方向外側に位置する外側部分とを備えたワンピースの胴部からなり、緊締の過程で前記ナットを既定の力で一方向に回転させ、同時にその反力を座金胴部に受けさせた時に、ボルトと座金胴部は回転せずにナットだけが回転してボルトを伸張させ、ボルトの伸張により前記の内側部分は回転することなく外側部分に対して軸方向に変位するが、外側部分とは分離することなく一体構造を維持していることを特徴とする前記の締め具。
【請求項７】
ナットを締める過程で前記の内側部分が無回転で外側部分に対して軸方向に変位するが、外側部分から分離しないように、内側部分と外側部分とが連結されている請求項６記載の締め具。
【請求項８】
前記の内側部分が外側部分に対して軸方向に変位した時に、内側部分とボルトとの密着性が増大するように、内側部分と外側部分が形成されている請求項６記載の締め具。
【請求項９】
ワンピースの前記胴部が、内側部分と外側部分とを連結させる接合手段を備え、内側部分が外側部分に対して軸方向に変位した時に、内側部分とボルトとの密着性が増大するように前記接合手段が形成されている請求項６記載の締め具。
【請求項１０】
座金胴部の内側部分が複数の個別の部分からなり、各部分は互いに隙間を挟んで座金胴部の軸を中心に円周方向に離間している請求項６記載の締め具。
【請求項１１】
一体化させる少なくとの２つの部分を含む物体にボルトを挿通する工程と、そのボルトにナットを螺合させる工程と、物体とナットの間に座金を挟む工程と、ナットを既定の力で一方向に回転させ、同時にその反力を座金で受ける工程を含む物体の組み立て方法において、前記の座金がその一方の面にナットと接する第１支承面と、他方の面に物体と接する第２支承面を有すると共に、半径方向内側にボルトに噛み合う回転抵抗面を有し、しかもその座金は、前記回転抵抗面を備えて半径方向内側に位置する内側部分と、半径方向外側に位置する外側部分を持つワンピースの胴部からなり、緊締の過程でボルトの伸張により胴部の内側部分が回転することなく胴部の外側部分に対して軸方向に変位するが、外側部分から分離することなく一体構造を維持する前記した物体の組み立て方法。
【請求項１２】
緊締の過程で前記の内側部分が無回転で外側部分に対して軸方向に変位するが、外側部分から分離しないように、内側部分と外側部分とが連結されている請求項１１記載の物体の組み立て方法。
【請求項１３】
前記の内側部分が外側部分に対して軸方向に変位した時に、内側部分とボルトとの密着性が増大するように、内側部分と外側部分が形成されている請求項１１記載の物体の組み立て方法。
【請求項１４】
ワンピースの前記胴部が、内側部分と外側部分とを連結させる接合手段を備え、内側部分が外側部分に対して軸方向に変位した時に、内側部分とボルトとの密着性が増大するように前記接合手段が形成されている請求項１１記載の物体の組み立て方法。
【請求項１５】
座金胴部の内側部分が複数の個別の部分からなり、各部分は互いに隙間を挟んで座金胴部の軸を中心に円周方向に離間している請求項１１記載の物体の組み立て方法。
【請求項１６】
工具部分と締め具部分とを包含する物体締め付け工具であって、前記の工具部分はハウジングと、駆動素子を備えてこのハウジング内に収められた駆動部とを備え、前記の締め具部分は、
一体化させる少なくとも２つの部分を含む物体に挿通することが可能なボルトと、そのボルトに螺合するナットと、物体とナットとの間に挟まれる座金とで構成され、当該座金はその一方の面にナットと接する第１支承面を、他方の面に物体と接する第２支承面をそれぞれ備える共に、半径方向内側にボルトに噛み合う回転抵抗面を備え、しかも、その座金は、前記の回転抵抗面を備えて半径方向内側に位置する内側部分と、半径方向外側に位置する外側部分とを持つワンピースの胴部からなり、前記の駆動素子にてナットを一方向に回転させ、同時に座金胴部を介してその反力を前記ハウジングで受けた際に、ボルトと座金胴部は回転することなくナットだけが回転してボルトを伸張させ、ボルトの伸張で座金胴部は、その内側部分が外側部分に対して軸方向に変位するが、外側部分から離れることなくワンピースを保持する前記の物体締め付け工具。
【請求項１７】
緊締の過程で前記の内側部分が無回転で外側部分に対して軸方向に変位するが、外側部分から分離しないように、内側部分と外側部分とが連結されている請求項１６記載の物体締め付け工具。
【請求項１８】
前記の内側部分が外側部分に対して軸方向に変位した時に、内側部分とボルトとの密着性が増大するように、内側部分と外側部分が形成されている請求項１６記載の物体締め付け工具。
【請求項１９】
ワンピースの前記胴部が、内側部分と外側部分とを連結させる接合手段を備え、内側部分が外側部分に対して軸方向に変位した時に、内側部分とボルトとの密着性が増大するように前記接合手段が形成されている請求項１６記載の物体締め付け工具。
【請求項２０】
座金胴部の内側部分が複数の個別の部分からなり、各部分は互いに隙間を挟んで座金胴部の軸を中心に円周方向に離間している請求項１６記載の物体締め付け工具。
【発明の詳細な説明】
【技術分野】
【０００１】
本発明は、座金と、座金付き締め具と、その座金付き締め具の締め付け方法と、締付け工具に関する。
【背景技術】
【０００２】
複数の部分からなるリプレースメントナット、例えば、内スリーブと外スリーブを備えたナットと、これに螺合するボルトと、座金からなる締め具で、２つ以上の物体を互いに締め付け一体化させることは、良く知られている。リプレースメントナットの一例は、例えば、米国特許第５，３４１，５６０号明細書の記載されており、別のリプレースメントナットは、米国特許第６，２５４，３２３号明細書に記載されている。後者の米国特許のボルトは、上方ネジ部の下側にスプラインを備え、そのスプラインに座金が回転不能に接合される。そして、そのボルトは、工具の作用力がナットを回転させている際に、その反力を受ける係合手段を備えている。上記２つの米国特許に記載されている締め具の共通点は、一つの工具の作用力と反力を利用できることと、工具への反力腕の設置を不要にしていることと、工具の回転力（トルク）をトーションフリーでボルトの伸張に変換してことと、実摩擦より予測摩擦で見積もられるトルクよりも、あるいは、伸張したボルトから手締めナットに力が伝達された時のボルトの推定応力緩和に基づく伸張よりも、最初に所望のボルト残留負荷が得られることである。
【０００３】
米国特許第５，３４１，５６０号に記載された締め具の問題点は、ナットを内外２つのスリーブで構成させている関係で、外スリーブの外径を標準ナットの外径に合致させるためには、２つのスリーブの肉厚を標準ナットよりも薄くしなければならないことである。このことはスリーブの材料に強度の高い材料を使用しなければならないことを意味する。また、米国特許第６，２５４，３２３号に記載されている締め具は、ボルトを変更しなければならず、このことが締め具全体をコスト高にし、また、産業界に受け入れにくくしている。
【０００４】
上記した欠点を解消させることができる新しい座金やその座金を備えた締め具などは、本発明者らの発明に係る米国特許第６，６０９，８６８号に記載されているほか、同じく米国特許出願第１０/１１２，１０１号、同第１０/４２７，１０３号、同第１０/６５５，１８２号などに記載されている。この新しい座金は、ボルトに螺合するナットと、ボルトが挿通される物体との間に用いられる。その座金は、ナットと面接触してナットと協働する第１支承面と、物体と面接触して物体と協働する第２支承面と、ボルトに噛み合ってその回転を邪魔する回転抵抗面を備え、座金の半径方向内側に位置してボルトに噛み合う座金の内側部分は、締め付けに際して自由に回転できないが、半径方向外側に位置する座金の外側部分内で、軸方向に変位してボルトを伸張させる。既定の力でナットを一方向に回転させ、同時に、座金が反対方向に同じ既定の力を受けると、ナットだけが回転してボルトを伸張させ、ボルトの胴部は摩擦で回転しない。一方、ボルトも回転せずに軸方向に伸張又は弛緩するだけである。
【０００５】
上記した発明のように、座金と締め具を設計し、その発明に従う締め付け方法及び締め付け工具を使用すれば、標準的なナットを使用することができる。物体の締め付けに際しては新しい座金が必要となるだけであるので、締め具を全体として安価にすることができ、ボルトやナットには通常のものが使用可能である。さらに、ナットの一部に反力が直積的又は間接的に作用する代わりに、もっぱら座金が反力を吸収する。さらに言えば、上記の新しい座金を使用すれば、最初に紹介して米国特許での利点、すなわち、ボルトがトーションフリーで伸張し、ナットと座金との間の既知の摩擦係数や既知のボルト負荷や反力受けなしの工具が利用できると言う利点も、損なわれることがない。
【０００６】
本発明者らの発明に係る米国特許第６，６０９，８６８号及び米国特許出願第１０/４２７，１０３号に記載された座金は、相互に作用し合うための手段を備えた２つの部分からなり、半径方向内側の部分は外側の部分に関して回転せず、代わりに軸方向に変位する。従って、２つの部分は個別に製造して組み立てなければならない。米国特許出願第１０/１１２，１０１号及び同第１０/６５５，１８２号に記載されている座金は、当初は、単一パートの一体型座金として製造されるが、軸方向の力の付与でボルトが軸方向に伸張することに呼応して、内側部分が軸方向に引っ張れるように座金自体が破断する。従って、この種の座金では、その破壊点を正確に予測する必要がある。
【発明の開示】
【発明が解決しようとする課題】
【０００７】
本発明の目的は、既知の座金の問題点を払拭できる座金と、その座金を備えた締め具と、その締め具を用いた物体の一体化方法と、前記締め具と併用される動力工具を提供することにある。
【課題を解決するための手段】
【０００８】
本発明に係る座金は、一体化される少なくとも２つの部分を含む物体に挿通された軸を持つボルトと、そのボルトに螺合するナットと共に使用され、通常、前記の物体とナットとの間に挟まれて使用される。本発明の座金は、その一方の面にナットと面接触する第１支承面を、他方の面に物体と面接触する第２支承面をそれぞれ備えると共に、半径方向内側にボルトと噛み合う回転抵抗面を備えている。そして、この座金は、前記の回転抵抗面を持って半径方向内側に位置する内側部分と、半径方向外側に位置する外側部分とを備えたワンピースの胴部からなり、ボルトが伸張すると、前記内側部分は回転せずに外側部分に対して軸方向に変位するが、外側部分とは完全には分離せずに一体構造を維持する。従って、ナットをある既定の力で一方向に回転させ、同時にその反力を本発明の座金で受けた場合には、ナットだけが回転してボルトを伸張させるが、ボルトと座金は無回転に維持されるので、ボルトには軸方向の力が及ぶ。
【０００９】
本発明はまた、少なくとも２つの部分からなる物体の締め付けに使用する締め具を提供し、その締め具は、前記の物体に挿通可能な軸を有するボルトと、そのボルトに螺合可能なナットと、前記の物体とナットとの間に用いられる座金とを備えている。そして、この締め具の座金は、その一方の面にナットと面接触する第１支承面を、他方の面に物体と面接触する第２支承面をそれぞれ備えると共に、半径方向内側にボルトと噛み合う回転抵抗面を備え、しかもその座金は、前記の回転抵抗面を持って半径方向内側に位置する内側部分と、半径方向外側に位置する外側部分とを持つワンピースの胴部からなる。そして、締め具を緊締する際には、前記内側部分は回転せずに外側部分に対して軸方向に変位するが、外側部分から完全には分離せずに一体構造を維持する。本発明の締め具では、ナットをある既定の力で一方向に回転させ、同時にその反力を座金で受けると、ナットだけが回転してボルトを伸張させるが、ボルトと座金は無回転に維持される。
【００１０】
本発明はまた、少なくとも２つの部分を一体化させる方法を提供するものでもあって、その方法は、上記少なくとも２つの部分を含む物体に、軸を有するボルトを挿通する工程と、そのボルトにナットを螺合させる工程と、前記の物体とナットの間に座金をはさみ、座金の第１支承面をナットに、第２支承面を物体にそれぞれ当接させ、座金の内側に位置する回転抵抗面をボルトに噛み合わせる工程と、既定の力でナットを一方向に回転させ、同時にその反力を座金で受ける工程からなり、物体とナットの間に挟まれる座金が、半径方向内側に位置し、前記の回転抵抗面を有する内側部分と、半径方向外側に位置する外側部分とを持つワンピースの胴部から構成され、ナットを締めた際に座金の内側部分は無回転で外側部分に対して軸方向に変位するが、内側部分と外側部分は、分離することなく一体構造を維持することを特徴とする。
【００１１】
、
さらに本発明は、物体の締め付け一体化に用いる動力工具を提供するものであって、その工具は、工具部分と締め具部分からなり、工具部分は、ハウジング部と、駆動素子を備えてハウジング部の内部に位置する駆動部とを備える。締め具部分は、一体に組み立てる少なくとも２つの部分を含む物体に挿通可能な軸を有するボルトと、そのボルトに螺合可能はナットと、軸方の一端にナットと接触する第１支承面を、軸方向の他端に物体と接触する第２支承面と有し、ボルトに噛み合える回転抵抗面を内側に備えた胴部を持つ座金で構成される。そして、座金胴部は、ボルトに噛み合える前記の回転抵抗面を持って半径方向内側に位置する内側部分と、半径方向外側に位置する外側部分とが連携したワンピースの一体構造にあり、ナットを締める過程では、前記内側部分は外側部分に対して回転せずに軸方向に変位するが、両部分は完全には分離せずに一体構造を維持する。前記工具の駆動素子からの既定の力でナットに一方向に回転させ、座金胴部を介して前記工具のハウジングに反力を吸収させた時に、ナットは回転するが座金は無回転のままであって、ボルトは回転せずに、伸張するか伸張緩和される。
【００１２】
本発明に係る締め具、締め付け方法及び締め付け工具でそれそれ採用される本発明の座金は、一体構造にあって、使用中に破壊されることが無く、従って、座金の半径方向内側にある内側部分と、外側にある外側部分とは互いに離れることなく一体構造を維持する。
【００１３】
本発明の特徴的事項は、特許請求の範囲に記載されているが、本発明の構成や目的や効果は、添付図面に沿った以下の説明からも明らかになろう。
【発明を実施するための最良の形態】
【００１４】
図１は、ボルト１を備えたネジ付き締め具を示し、そのボルトは、例えば、一体化させる２つの部分からなる物体２に差し込まれている。この締め具は、ナット３をさらに備え、そのナットは、ボルト１の外ネジ５と螺合する内ネジ４を備えている。
【００１５】
図１のネジ付き締め具は、さらに全体を符号６で示す座金を備えている。座金６は胴部７を持ち、その胴部はナット３と接触連携する第１支承面８と、物体２と接触連携する第２支承面９を備え、さらに半径方向内側に少なくとも一つの回転抵抗面１０を備えている。第１及び第２支承面は、軸方向に互いに離隔しており、言い換えると、ボルトの軸Ａ２に一致する座金の軸Ａ１の方向に、互いに離隔している。そして、少なくとも一つの回転抵抗面１０は、胴部７の半径方向内側に位置し、ボルト１の外表面に噛み合うように整形されている。図１に示す具体例では、回転抵抗面にネジ１１を設けることによってボルト１のネジ５と噛み合わせている。
【００１６】
図１に示すように、座金の胴部７は、半径方向に互いに離間した２つの部分、すなわち、半径方向内側に位置する部分７"と、半径方向外側に位置する部分７’とからなり、ネジを持つ回転抵抗面１０は、内側部分７"の半径方向内側に設けられる。
【００１７】
座金の内側部分７"と外側部分７’とは、連結されているので互いに回転することはないが、軸方向には相対的に移動可能である。これを実現するために、内側部分７"と外側部分７’とは、接合素子７"’にて互いに接合され、内側部分７"は外側部分７’に対して回転できないが、軸方向には移動できる。それ故に、ボルトに伝わる回転力よりも大きな移動抵抗（移動制止力）が座金に生じ、ナットを回転させても、これに連動してボルトが回転することがなく、座金の内側部分７"は、外側部分７’に対して軸方向に移動する。換言するば、動力工具が座金を抱かかえてナットを回転させると、座金の内側部材７"は回転せずにボルトもこれに抱き締められているので回転しない。そして、ナットの回転でボルトが引っ張られると、座金の内側部分７"は、外側部分７’に対して軸方向にボルトと一緒に移動する。
【００１８】
座金の内側部分７"に関して内側部分７"を回転させずに、軸方向に移動できるようにするために、両部分を繋ぐ接合素子７"’は、軸方向に可撓性を持ち、軸方向の変位に順応できるが、円周方向には非可撓性であり、円周方向の変位には順応しない材料で形成される。接合素子７"’の軸方向の可撓性は、当該素子を座金の軸方向に曲げ易くする脆弱点を、例えば、円周方向のスロット１３（図３参照）を、接合素子７"’設けることで付与することができる。
【００１９】
図４に示すように、ナット５を回転させるための回転工具２１を、本発明の締め具に取り付ける場合、工具の駆動部２２をナット５に嵌合させ、ボルト１との間のネジ抵抗に打ち勝ってナットを回転させる。工具２１のハウジング部２３は、座金６に嵌合し、座金とナット５との間、座金と物体の一方との間、座金とボルトの１と間のそれぞれに面抵抗によって、ナットの回転反力（反作用の力）を吸収する。つまり、ボルトと座金は、回転せずに工具の回転トルクを吸収する。
【００２０】
工具２１の駆動部２２とナット５をしっかり係合させるために、駆動部とナットは、両者の接触部分１２に相互係合に適した形状を備え、例えば、接触部分１２には、多角形状又はスプラインを採用することができる。同様にして、工具２１のハウジング部２３を、座金６にしっかり係合させるために、ハウジング部と座金の該当個所１３に、係合に役立つ形状を付与することができ、例えば、当該個所を多角形又はスプラインとすることができる。
【００２１】
図１において、座金６の回転抵抗面は、当該抵抗面のネジ１１によって、ボルトのネジ５に噛み合う。図５に示す実施例では、ボルト１のネジ部より下に用意されたボルトの非ネジ部に、座金が位置している。この場合、座金の内側部分７"の回転抵抗面は、ボルト１のネジなし外表面と係合し、ナットを締め付ける際のボルトの回転を阻止する。
【００２２】
また、本発明によれば、ボルトが伸張した際に座金の内側部分７"が、外側部分７’に対して軸方向に移動し、座金の内側部分７"とボルト１との間の密着性が増大する。ちなみに、座金の接合素子７"’は、図２に示すように、外側部分７’から内側部分７"に向かって、半径方向下向きに伸びている。内側部分７"がボルトの伸張に応じて軸方向上向きに移動すると、接合素子７"’の内端も内側部分と一緒に軸方向上向きに移動するが、元の水平位置を保持しようとする結果、内側部分７"をボルト１の外表面に向けて半径方向内側に押すことになり、そのために、座金の内側部分７"とボルト１との間の密着性が増大する。
【００２３】
座金の内側部分７"がボルト１の外表面に向かって半径方向内側に動き、ボルト１との密着性を増大させるには、内側部分７"が半径方向内側に撓むことができるものでなければならない。これを実現する一例は、図８に示すように、内側部分７"を、例えば、２つの隙間１６と、２つのセグメント（円弧）１５を具備する形状に成形することであり、この形状にあれば、接合素子７"’の内端が、図２における軸方向に移動すると、接合素子７"’はボルト１の外表面に向けてセグメント１５を半径方向内側に押し付ける。
【００２４】
図７に示すように、座金の内側部分７"は、当初は、外側部分７’よりも横方向から見て下方に位置することができ、換言すれば、内側部分７"の下側の面は、外側部分７’の下側の面より下位に位置することができる。このような構造の座金では、ナット３が回転すると、内側部分７"は軸方向上向きに直ぐに移動し、同時にセグメント１５は半径方向内側に移動してボルト１の外表面と噛み合う。
【００２５】
接合素子７"’は、いろいろな形態が採用可能であって、ボルトが伸張する時に外側部分７’に関して内側部分７"を軸方向に動かせる形態が各種採用可能である。図６に示す一例では、接合素子７"’が可撓性の波型材１７で形成されており、この波型材は、外側部分７’に関して内側部分７"の軸方向への移動を許容する。
【００２６】
本発明に係る座金やその座金を備える締め具、並びにその締め具を用いる物体の一体化方法及び締め付け工具は、図示の具体例に限られるものではなく、本発明の技術思想から逸脱しない範囲内で、様々な変形が可能である。
【図面の簡単な説明】
【００２７】
【図１】本発明に係る座金を備えた締め具を示す図。
【図２】図１に示した座金の断面図。
【図３】図１に示した座金の平面図。
【図４】本発明に係る座金を備えて締め具と協同する動力工具の部分断面図。
【図５】本発明に係る別の座金を備えた締め具を示す図。
【図６】本発明に係るさらに別の座金の断面図。
【図７】本発明に係る座金の別の態様を示す断面図。
【図８】図７に示した座金の平明図。
【符号の説明】
【００２８】
１：座金          ２：物体          ３：ナット          ４：内ネジ
５：外ネジ        ６：座金          ７’：外側部分      ７"：内側部分
８：第１支承面    ９：第２支承面      １０：回転抵抗面
１１：ネジ      １３：スロット        １５：セグメント
１６：隙間      ２１：動力工具        ２２：駆動部
２３：ハウジング
【図１】
2006258292.tif 000003
【図２】
2006258292.tif 000004
【図３】
2006258292.tif 000005
【図４】
2006258292.tif 000006
【図５】
2006258292.tif 000007
【図６】
2006258292.tif 000008
【図７】
2006258292.tif 000009
【図８】
2006258292.tif 000010
【手続補正書】
【提出日】平成18年5月8日(2006.5.8)
【手続補正１】
【補正対象書類名】明細書
【補正対象項目名】００１９
【補正方法】変更
【補正の内容】
【００１９】
図４に示すように、ナット５を回転させるための回転工具２１を、本発明の締め具に取り付ける場合、工具の駆動部２２をナット３に嵌合させ、ボルト１との間のネジ抵抗に打ち勝ってナットを回転させる。工具２１のハウジング部２３は、座金６に嵌合し、座金とナット３との間、座金と物体の一方との間、座金とボルトの１と間のそれぞれに面抵抗によって、ナットの回転反力（反作用の力）を吸収する。つまり、ボルトと座金は、回転せずに工具の回転トルクを吸収する。
【手続補正２】
【補正対象書類名】明細書
【補正対象項目名】００２０
【補正方法】変更
【補正の内容】
【００２０】
工具２１の駆動部２２とナット５をしっかり係合させるために、駆動部とナットは、両者の接触部分１２に相互係合に適した形状を備え、例えば、接触部分１２には、多角形状又はスプラインを採用することができる。同様にして、工具２１のハウジング部２３を、座金６にしっかり係合させるために、ハウジング部と座金の該当個所１８に、係合に役立つ形状を付与することができ、例えば、当該個所を多角形又はスプラインとすることができる。
【手続補正３】
【補正対象書類名】図面
【補正対象項目名】図４
【補正方法】変更
【補正の内容】
【図４】
2006258292.tif 000011